(57)【要約】【課題】指で保持した際の安定性に優れ、正確且つ安定して保持することが可能である綿棒を提供する。【解決手段】紙製の軸部２０と、紙製の軸部２０の両側の端部２１・２１に設けられる清掃部３０・３０とから構成される綿棒１０であって、軸部２０を、紙製の丸軸２０１を所定型で押圧することにより形成される断面視略三角形の軸部２０とし、好適には断面視略三角形の軸部２０の長手方向に沿う少なくとも一の平面部２２にロゴ２４を付加する。【選択図】図１
2011000351.tif 000002
【特許請求の範囲】
【請求項１】
紙製の軸部と、前記紙製の軸部の少なくとも一端に設けられる清掃部とから構成される綿棒であって、
前記軸部を、紙製の丸軸を所定型で押圧することにより形成される断面視略多角形の軸部とすることを特徴とする綿棒。
【請求項２】
前記断面視略多角形の軸部を断面視略三角形の軸部とすることを特徴とする請求項１記載の綿棒。
【請求項３】
前記断面視略多角形の軸部の長手方向に沿う少なくとも一の面に文字若しくは模様を付加することを特徴とする請求項１又は２記載の綿棒。
【請求項４】
請求項１〜３の何れかに記載の綿棒の製造方法であって、
前記紙製の丸軸を所定型で押圧して断面視略多角形の軸部を形成する工程と、
前記所定型から取り出した前記断面視略多角形の軸部に対し、少なくとも長手方向に沿う一の面に押印部で押印して文字若しくは模様を付加する工程とを備えることを特徴とする綿棒の製造方法。
【請求項５】
請求項１〜３の何れかに記載の綿棒の製造方法であって、
直径１．５ｍｍ〜３ｍｍ、長さ７０ｍｍ〜１２０ｍｍの前記紙製の丸軸を、前記所定型により１００ｋｇ〜３００ｋｇの力で押圧して前記断面視略多角形の軸部を形成する工程を備えることを特徴とする綿棒の製造方法。
【請求項６】
紙製の軸部の少なくとも一端に清掃部が設けられる綿棒の軸部であって、
紙製の丸軸を所定型で押圧することにより断面視略多角形に形成されていることを特徴とする綿棒の軸部。
【請求項７】
請求項６記載の綿棒の軸部の製造方法であって、
前記紙製の丸軸を所定型で押圧して断面視略多角形の軸部を形成する工程と、
前記所定型から取り出した前記断面視略多角形の軸部に対し、少なくとも長手方向に沿う一の面に押印部で押印して文字若しくは模様を付加する工程とを備えることを特徴とする綿棒の軸部の製造方法。
【請求項８】
請求項６記載の綿棒の軸部の製造方法であって、
直径１．５ｍｍ〜３ｍｍ、長さ７０ｍｍ〜１２０ｍｍの前記紙製の丸軸を、前記所定型により１００ｋｇ〜３００ｋｇの力で押圧して前記断面視略多角形の軸部を形成する工程を備えることを特徴とする綿棒の軸部の製造方法。
【発明の詳細な説明】
【技術分野】
【０００１】
本発明は、耳垢の除去、手術、精密機械の清掃などに用いる綿棒及びその製造方法、綿棒の軸部及びその製造方法に関する。
【背景技術】
【０００２】
綿棒は、長方形の紙製シートの片面に接着剤を塗布し、これを巻き取って紙製の丸軸を形成し、この紙製の丸軸の両端に繊維状の清掃部をそれぞれ巻き付けて接着することにより形成されるのが一般的である。
【０００３】
斯様な綿棒に関する提案としては、例えば使用時に正しい位置を把持することを可能にするものが特許文献１に開示されている。特許文献１の綿棒は、紙製の丸軸の表面の一部に、指で丸軸を把持する部位を示す所定幅の把持領域を丸軸と異なる色で表示すものである。
【先行技術文献】
【特許文献】
【０００４】
【特許文献１】特開２００５−１９８７３９号公報
【発明の概要】
【発明が解決しようとする課題】
【０００５】
ところで、上述のような綿棒は、その軸部が丸軸であるため、指で保持した際の安定性に劣る。そのため、例えば手術時の使用など、正確且つ安定して綿棒を保持することが求められる場合に十分なものとはいい難い。
【０００６】
本発明は上記課題に鑑みて提案するものであって、指で保持した際の安定性に優れ、正確且つ安定して保持することが可能である綿棒及びその製造方法、並びに綿棒の軸部及びその製造方法を提供することを目的とする。
【課題を解決するための手段】
【０００７】
本発明の綿棒は、紙製の軸部と、前記紙製の軸部の少なくとも一端に設けられる清掃部とから構成される綿棒であって、前記軸部を、紙製の丸軸を所定型で押圧することにより形成される断面視略多角形の軸部とすることを特徴とする。また、本発明の綿棒の軸部は、紙製の軸部の少なくとも一端に清掃部が設けられる綿棒の軸部であって、紙製の丸軸を所定型で押圧することにより断面視略多角形に形成されていることを特徴とする。
前記構成では、軸部が断面視略多角形であるから、綿棒或いはその軸部を指で保持した際の安定性に優れる。従って、例えば手術時に使用する際等に、綿棒を正確な位置で且つ安定して保持することができる。また、一般的な紙製の丸軸を所定型で押圧して形成することが可能であるから、安価且つ効率的に製造することができる。また、押圧する圧力を調整することにより、多角形の隅部の曲がりの程度を容易に調整することが可能であり、用途に応じて保持の安定性と軸周りの回動性のバランスを調整した綿棒を容易に得ることができる。
【０００８】
また、本発明の綿棒、又は綿棒の軸部は、前記断面視略多角形の軸部を断面視略三角形の軸部とすることを特徴とする。
前記構成により、軸部の長手方向に沿う略平面状の面をそれぞれ広く確保することが可能であり、一層保持の安定性を高めることができる。
【０００９】
また、本発明の綿棒、又は綿棒の軸部は、前記断面視略多角形の軸部の長手方向に沿う少なくとも一の面に文字若しくは模様を付加することを特徴とする。
前記構成では、文字や模様の付加により、綿棒の娯楽性を高める、綿棒の美観を高める、販促用の文字等を付加して綿棒を販促に用いること等が可能となる。特に、断面視略三角形の軸部とし、その長手方向に沿う一の面に文字を付加する構成では、広く確保された略平面状の面に文字を付加することができるので、利用者に文字を明確に視認させることが可能となり、販促等の効果を高めることができる。
【００１０】
また、本発明の綿棒の製造方法は、本発明の綿棒の製造方法であって、前記紙製の丸軸を所定型で押圧して断面視略多角形の軸部を形成する工程と、前記所定型から取り出した前記断面視略多角形の軸部に対し、少なくとも長手方向に沿う一の面に押印部で押印して文字若しくは模様を付加する工程とを備えることを特徴とする。また、本発明の綿棒の軸部の製造方法は、本発明の綿棒の軸部に用いる製造方法であって、前記紙製の丸軸を所定型で押圧して断面視略多角形の軸部を形成する工程と、前記所定型から取り出した前記断面視略多角形の軸部に対し、少なくとも長手方向に沿う一の面に押印部で押印して文字若しくは模様を付加する工程とを備えることを特徴とする。
前記構成では、本発明の綿棒やその軸部が奏する効果を得られると共に、断面視略多角形の軸部を形成した後に、少なくとも長手方向に沿う一の面に押印部で押印して文字若しくは模様を付加することにより、所定型での押圧と同時に文字や模様を付加する場合の付加された文字や模様の歪みを無くし、文字や模様を鮮やかに付加して表示することができる。
【００１１】
また、本発明の綿棒の製造方法は、本発明の綿棒の製造方法であって、直径１．５ｍｍ〜３ｍｍ、長さ７０ｍｍ〜１２０ｍｍの前記紙製の丸軸を、前記所定型により１００ｋｇ〜３００ｋｇの力で押圧して前記断面視略多角形の軸部を形成する工程を備えることを特徴とする。また、本発明の綿棒の軸部の製造方法は、本発明の綿棒の軸部に用いる製造方法であって、直径１．５ｍｍ〜３ｍｍ、長さ７０ｍｍ〜１２０ｍｍの前記紙製の丸軸を、前記所定型により１００ｋｇ〜３００ｋｇの力で押圧して前記断面視略多角形の軸部を形成する工程を備えることを特徴とする。
前記構成では、直径１．５ｍｍ〜３ｍｍ、長さ７０ｍｍ〜１２０ｍｍの紙製の丸軸から所要の断面視略多角形の軸部を押圧により確実に形成することができる。
【発明の効果】
【００１２】
本発明の綿棒又はその製造方法、綿棒の軸部又はその製造方法は、綿棒の軸部を指で保持した際に優れた安定性の保持を実現するものであり、綿棒或いはその軸部の正確且つ安定的な保持を可能とする効果を有する。
【図面の簡単な説明】
【００１３】
【図１】（ａ）は本発明による第１実施形態の綿棒の正面図、（ｂ）は同図（ａ）の綿棒の縦断面図、（ｃ）は同図（ａ）の綿棒の軸部の横断面図。
【図２】（ａ）、（ｂ）は第１実施形態の綿棒の軸部を成形する工程を説明する説明図。
【図３】第１実施形態の綿棒の軸部に文字或いは模様を付加する工程を説明する説明図。
【図４】第２実施形態の綿棒の軸部を成形する工程を説明する説明図。
【図５】第３実施形態の綿棒の軸部を成形する工程を説明する説明図。
【発明を実施するための形態】
【００１４】
〔第１実施形態の綿棒及びその製造方法〕
第１実施形態の綿棒及びその製造方法について説明する。図１（ａ）は第１実施形態の綿棒の正面図、図１（ｂ）は同図（ａ）の綿棒の縦断面図、図１（ｃ）は同図（ａ）の綿棒の軸部の横断面図、図２は第１実施形態の綿棒の軸部を成形する工程を説明する説明図で、その（ａ）は雌型の上に紙製の丸軸を配置した状態を示す図、その（ｂ）は雄型と雌型で断面視略三角形の軸部を形成した状態を示す図、図３は第１実施形態の綿棒の軸部に文字或いは模様を付加する工程を説明する説明図である。
【００１５】
第１実施形態の綿棒１０は、図１（ａ）及び図１（ｂ）に示すように、断面視略多角形である断面視略三角形の紙製の軸部２０と、紙製の軸部２０の両端にそれぞれ設けられている清掃部３０とから構成される。
【００１６】
紙製の軸部２０は、図１（ｃ）に示すように、後述する雌型４１と雄型４２のような所定型で紙製の丸軸を押圧して形成されている断面視略三角形の軸部２０であり、長手方向に沿って設けられる略平面状の平面部２２と、３面の平面部２２の間に設けられる曲がり部２３とを有する。曲がり部２３は、より鋭角に形成することも可能であるが、本実施形態では丸みを帯びたアール状とし、ある程度の周方向への回動性の維持や、良好な持ち易さの効果を得ている。また、本実施形態の軸部２０の一面には、文字であるロゴ２４が付加して印字されている。
【００１７】
前記紙製の丸軸は、矩形の紙軸用紙シートの外端縁に接着剤を塗布し、この紙軸用紙シートを巻き込み、紙軸用紙シートの外端縁を紙軸用紙シートに接着して形成される。そして、後述する所定型の雌型４１と雄型４２で押圧して断面視略三角形の軸部２０とされる。
【００１８】
清掃部３０は、紙製の軸部２０の両側の端部２１・２１にそれぞれ設けられており、端部２１を包むように設けられている。清掃部３０は、例えば綿繊維等の繊維を端部２１の外側に巻き付け、接着して形成されている。
【００１９】
次に、第１実施形態の綿棒１０或いはその軸部２０の製造方法について説明する。先ず、図２（ａ）に示すように、雌型４１の断面視略Ｖ字形の溝部４１１内に紙製の丸軸２０１を配置する。紙製の丸軸２０１は上述した紙軸用紙シートの巻き込みで形成したものである。紙製の丸軸２０１は、溝部４１１から上側がややはみ出るように配置される。
【００２０】
そして、丸軸２０１を所定型である雌型４１と雄型４２で押圧して断面視略三角形の軸部２０を形成する。即ち、図２（ｂ）に示すように、雄型４２を移動して雄型４２の平面状の部分で丸軸２０１の前記はみ出し部分を押圧し、これにより、丸軸２０１は、雄型４２の前記平面状部分と雌型４１の溝部４１１の平面状部分に押圧され、平面部２２と曲がり部２３を有する断面視略三角形の軸部２０となる。
【００２１】
前記押圧の際には、紙製の丸軸２０１が直径１．５ｍｍ〜３ｍｍ、長さ７０ｍｍ〜１２０ｍｍである場合には、雌型４１と雄型４２により、一本の軸部２０１に対して１００ｋｇ〜３００ｋｇの力で押圧すると、曲がり部２３が鋭角過ぎず且つ確実に略平面状の平面部２２を有する断面視略三角形の軸部２０を形成することができるので好ましい。
【００２２】
その後、雄型４２を移動して雌型４１の溝部４１１内から軸部２０を取り出し、図３に示すように、支持体５１の断面視略Ｖ字形の溝部５１１内に軸部２０を配置する。軸部２０は溝部５１１の形状に沿うように溝部５１１内に配置され、長手方向に沿う平面部２２の一つが図示上側である外側を向くように配置される。そして、押印部５２を移動して前記外側を向いている平面部２２に文字であるロゴ２４を付加して表示する。
【００２３】
その後、支持体５１の溝部５１１からロゴ２４が付加された軸部２０を取り出し、軸部２０の両側の端部２１・２１に綿繊維等の繊維を外側に巻き付け、接着して清掃部３０を形成し、綿棒１０が完成する。
【００２４】
第１実施形態の綿棒１０やその製造方法は、軸部２０が断面視略三角形であるから、綿棒１０或いはその軸部２０を指で保持した際の安定性に優れる。従って、例えば手術時に使用する際等に、綿棒１０を正確な位置で且つ安定して保持することができる。また、一般的な紙製の丸軸２０１を所定型で押圧して形成することが可能であるから、安価且つ効率的に製造することができる。また、押圧する圧力を調整することにより、曲がり部２３の曲がりの程度を容易に調整することが可能であり、用途に応じて保持の安定性と軸周りの回動性のバランスを調整した綿棒１０を容易に得ることができる。
【００２５】
また、ロゴ２４の付加により、綿棒１０を販促に用いること等が可能となる。特に、断面視略三角形の軸部２０の平面部２２にロゴ２４を付加する構成では、広く確保された平面部２２に文字を付加することができるので、利用者に文字を明確に視認させることが可能となり、販促等の効果を高めることができる。また、断面視略三角形の軸部２０を形成した後に、長手方向に沿う平面部２２に押印部５２で押印してロゴ２４を付加することにより、ロゴ２４の歪みを無くし、ロゴ２４を鮮やかに付加して表示することができる。
【００２６】
〔第２実施形態の綿棒及びその製造方法〕
次に、第２実施形態の綿棒及びその製造方法について説明する。図４は第２実施形態の綿棒の軸部を成形する工程を説明する説明図である。
【００２７】
第２実施形態の綿棒は、断面視略多角形である断面視略四角形の軸部２０ａを有し、その平面部２２ａにロゴが付加される構成であり、軸部２０ａの両側の端部に清掃部が設けられる構成など他の構成は第１実施形態と同様である。
【００２８】
第２実施形態の綿棒を製造する際には、図４（ａ）に示すように、雌型４１ａの断面視略コ字形の溝部４１１ａ内に紙製の丸軸２０１ａを配置する。紙製の丸軸２０１ａは、溝部４１１ａから上側がややはみ出るように配置される。
【００２９】
そして、丸軸２０１ａを所定型である雌型４１ａと雄型４２ａで押圧して断面視略四角形の軸部２０ａを形成する。即ち、図４（ｂ）に示すように、雄型４２ａを移動して雄型４２ａの平面状の部分で丸軸２０１ａの前記はみ出し部分を押圧し、これにより、丸軸２０１ａは、雄型４２ａの前記平面状部分と雌型４１ａの溝部４１１ａの平面状部分に押圧され、平面部２２ａと曲がり部２３ａを有する断面視略四角形の軸部２０ａとなる。
【００３０】
前記押圧の際には、紙製の丸軸２０１ａが直径１．５ｍｍ〜３ｍｍ、長さ７０ｍｍ〜１２０ｍｍである場合には、雌型４１ａと雄型４２ａにより、一本の丸軸２０１ａに対して１００ｋｇ〜３００ｋｇの力で押圧すると、曲がり部２３ａが鋭角過ぎず且つ確実に略平面状の平面部２２ａを有する断面視略四角形の軸部２０ａを形成することができるので好ましい。
【００３１】
その後は、雌型４１ａの溝部４１１ａ内から軸部２０ａを取り出し、第１実施形態とほぼ同様に、支持体の断面視略コ字形の溝部内に軸部２０ａを配置し、押印部を移動して外側を向いている平面部２２ａに文字であるロゴを付加して表示する。その後、軸部２０ａを取り出し、軸部２０ａの両側の端部に綿繊維等の繊維を外側に巻き付け、接着して清掃部を形成し、第２実施形態の綿棒が完成する。
【００３２】
第２実施形態の綿棒やその製造方法は、第１実施形態よりロゴがやや小さくなる、保持した際の保持性より回動性に優れるという相違があるものの、その他は第１実施形態と同様の効果を奏する。
【００３３】
〔第３実施形態の綿棒及びその製造方法〕
次に、第３実施形態の綿棒及びその製造方法について説明する。図５は第３実施形態の綿棒の軸部を成形する工程を説明する説明図である。
【００３４】
第３実施形態の綿棒は、断面視略多角形である断面視略六角形の軸部２０ｂを有し、その平面部２２ｂにロゴが付加される構成であり、軸部２０ｂの両側の端部に清掃部が設けられる構成など他の構成は第１実施形態と同様である。
【００３５】
第３実施形態の綿棒を製造する際には、図５（ａ）に示すように、雌型４１ｂの底部が断面視略台形である断面視略Ｃ字形の溝部４１１ｂ内に紙製の丸軸２０１ｂを配置する。
【００３６】
そして、丸軸２０１ｂを所定型である雌型４１ｂと雄型４２ｂで押圧して断面視略四角形の軸部２０ｂを形成する。即ち、図４（ｂ）に示すように、雄型４２ｂを移動して、雄型４２ｂの断面視略台形の部分と、雌型４１ｂの底部の断面視略台形の部分とで丸軸２０１ｂを押圧し、これにより、丸軸２０１ｂは、平面部２２ｂと曲がり部２３ｂを有する断面視略四角形の軸部２０ｂとなる。
【００３７】
前記押圧の際には、紙製の丸軸２０１ｂが直径１．５ｍｍ〜３ｍｍ、長さ７０ｍｍ〜１２０ｍｍである場合には、雌型４１ｂと雄型４２ｂにより、一本の丸軸２０１ｂに対して１００ｋｇ〜３００ｋｇの力で押圧すると、曲がり部２３ｂが鋭角過ぎず且つ確実に略平面状の平面部２２ｂを有する断面視略六角形の軸部２０ｂを形成することができるので好ましい。
【００３８】
その後は、雌型４１ｂの溝部４１１ｂ内から軸部２０ｂを取り出し、第１実施形態とほぼ同様に、支持体の断面視略Ｃ字形の溝部内に軸部２０ｂを配置し、押印部を移動して外側を向いている平面部２２ｂに文字であるロゴを付加して表示する。その後、軸部２０ｂを取り出し、軸部２０ｂの両側の端部に綿繊維等の繊維を外側に巻き付け、接着して清掃部を形成し、第３実施形態の綿棒が完成する。
【００３９】
第３実施形態の綿棒やその製造方法は、第１実施形態よりロゴが小さくなる、保持した際の保持性より回動性に優れるという相違があるものの、その他は第１実施形態と同様の効果を奏する。
【００４０】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００４１】
例えば上記実施形態では、軸部２０の両側の端部２１・２１に清掃部３０を設ける構成としたが、軸部２０の少なくとも一方側の端部２１に清掃部３０を設ける綿棒であれば適宜である。また、上記実施形態では、軸部２０を断面視略三角形、断面視略四角形、断面視略六角形とする場合について説明したが、断面視略五角形など断面視略多角形の軸部であれば適宜である。この場合に、直径１．５ｍｍ〜３ｍｍ、長さ７０ｍｍ〜１２０ｍｍの紙製の丸軸から各多角形状の軸部を製造する際には、所定型により１００ｋｇ〜３００ｋｇの力で押圧して形成すると、曲がり部が鋭角過ぎず且つ確実に略平面状の平面部を有する断面視略多角形の軸部を形成することができるので好ましい。また、直径３．５ｍｍ〜４ｍｍ、長さ１２０ｍｍ〜２０００ｍｍの紙製の丸軸から各多角形状の軸部を製造する際には、所定型により３００ｋｇ〜１０００ｋｇの力で押圧して形成すると、同様の効果が得られて好ましい。
【００４２】
また、上記実施形態では、断面紙略三角形の軸部２０の一つの平面部２２に文字であるロゴ２４を付加して表示する構成としたが、二つの平面部２２、或いは三面全ての平面部２２にロゴ２４を付加して表示することが可能である。また、平面部２２に文字を付加する構成に代え、或いは文字を付加する構成と共に、平面部２２に模様を付加する構成とすることも可能である。また、これらの文字或いは模様の付加をする軸部は、適宜の断面視略多角形の軸部に於ける長手方向に沿う所望の平面部とすることが可能である。文字や模様を軸部の平面部に付加することにより、綿棒の娯楽性を高める、綿棒の美観を高める、販促用の文字等を付加して綿棒を販促に用いること等が可能となる。
【産業上の利用可能性】
【００４３】
本発明は、例えば耳垢の除去、手術、精密機械の清掃などに用いる綿棒に利用することができる。
【符号の説明】
【００４４】
１０…綿棒  ２０、２０ａ、２０ｂ…軸部  ２０１、２０１ａ、２０１ｂ…紙製の丸軸  ２１…端部  ２２…平面部  ２３…曲がり部  ２４…ロゴ  ３０…清掃部  ４１、４１ａ、４１ｂ…雌型  ４１１、４１１ａ、４１１ｂ…溝部  ４２、４２ａ、４２ｂ…雄型  ５１…支持体  ５１１…溝部  ５２…押印部
【図１】
2011000351.tif 000003
【図２】
2011000351.tif 000004
【図３】
2011000351.tif 000005
【図４】
2011000351.tif 000006
【図５】
2011000351.tif 000007